(57)【特許請求の範囲】
【請求項１】
複数の映像、音声と共に、番組情報を表わし且つ同じ番組情報が所定の再送周期で多重される情報データを含むディジタル多重ストリームを受信し、表示再生するディジタル放送受信装置において、
前記ディジタル多重ストリームから前記映像、音声、情報データを分離可能な分離手段と、
前記分離手段に分離すべき前記情報データを設定する分離データ設定手段と、
前記分離手段において分離された前記情報データを解析する情報データ解析手段と、
前記情報データ解析手段で解析した結果から情報データの前記再送周期が経過したことを検出する再送周期検出手段と、
前記所定の再送周期中において多重される一部の情報データが存在せず、前記分離手段にて取得すべき情報データを全て取得できない場合において、前記再送周期検出手段の検出結果により再送周期が経過したと判定されたとき、前記分離手段の動作を停止させる制御を行なう制御手段を備えたことを特徴とするディジタル放送受信装置。
【請求項２】
請求項１記載のディジタル放送受信装置において、前記再送周期検出手段は、前記情報データ解析手段で前記番組情報を含む任意の同じ情報データを二度解析した時点で、前記情報データが再送されたと判定し、前記制御手段が前記分離手段の動作を停止させることを特徴とするディジタル放送受信装置。
【発明の詳細な説明】
【０００１】
【発明の属する技術分野】
本発明は複数の映像、音声と共に少なくとも番組情報を表わし且つ同じ番組情報が再送周期で多重される情報データを含むディジタル多重ストリームを受信する、表示再生するディジタル放送受信装置に関する。
【０００２】
【従来の技術】
ディジタル技術を用いた画像、音声の圧縮が放送にて利用可能な状況になり、多チャンネルで高画質の放送が開始された。このディジタル放送は、多チャンネルのみならず、各種情報をも多重して伝送できるため、様々な機能を付加することができる。例えば、伝送されているチャンネルの概要や番組編成を表示したり、番組の内容を表示する、将来の番組を予約する等の機能である。ここで、チャンネルとは従来のアナログ放送のチャンネル、即ち物理チャンネルとは異なり、編成チャンネル即ち一連の番組の集まりを意味する。
【０００３】
従来のアナログ放送においても、ブランキング期間に各種情報を重畳することによって番組情報等を表示する事は可能であったが、データ量が少ないため表示速度等に問題があった。ディジタル放送では、アナログ放送に比較して大容量の情報を多重することができる。これらの機能は、１００チャンネルにも及ぶ多チャンネル放送に対しては、必須のものであり、ユーザが使い勝手良く操作できることが重要である。
【０００４】
【発明が解決しようとする課題】
従来のアナログ放送に多重された情報データを表示することは、情報の伝送速度が遅いため、受信装置での処理速度は特に問題とされなかった。しかしながら、ディジタル放送では、数Ｍｂｐｓにも及ぶ情報データを処理する必要があるため、必要な情報を効率的に取得する事が受信装置の応答に影響を与え、重要となる。
【０００５】
本発明は、ある特定の情報が事故等の原因により送信されない場合、情報の仕様上、ある情報が存在するか否か判断できない場合に、受信装置が送信されない情報を待ち続け、受信装置の使い勝手が悪くなることを解決することを目的とする。
【０００６】
【発明を解決するための手段】
本発明は少なくとも、ディジタル多重ストリームから映像、音声、情報データを分離可能な分離手段と、前記分離手段に分離すべき前記情報データを設定する分離データ設定手段と、前記分離手段において分離された前記情報データを解析する情報データ解析手段と、前記情報データ解析手段で解析した結果から情報データの前記再送周期を検出する再送周期検出手段と、前記分離手段にて取得すべき情報データが存在しない場合であっても、前記再送周期検出手段の検出結果に基づいて前記分離手段の動作を停止させる制御を行なう制御手段を備えることにより達成できる。
【０００７】
【発明の実施の形態】
以下、本発明の実施例を図面を基にして説明する。
【０００８】
本発明の第一の実施例を図１、図２、図３、図４を用いて説明する。
【０００９】
図１は本発明の実施例による受信装置のブロック図である。１０１はディジタル放送の信号入力端子、１０２は選局のためのチューナとディジタル復調を行なう復調回路、１０３は誤り訂正回路、１０４は暗号を解くデスクランブラ、１０５はディジタル多重ストリームの中から必要なデータを選択して各回路へ分配するデータ分離回路、１０６は音声信号の復号回路、１０７は音声信号の出力端子、１０８は映像信号の復号回路、１１１はメニューや番組表を映像信号に重ねて出力するためのオンスクリーンディスプレイ回路、１０９は前記映像復号回路１０８と前記オンスクリーンディスプレイ回路１１１からの信号を重ねあわせる混合回路、１１０はテレビジョン等のモニタへの映像の出力端子、１１２はデータ分離回路１０５等を制御すると共に取得したデータを解析する制御回路、１１３はユーザの設定を受け付けるためのリモコン受信端子である。
【００１０】
本実施例は、前記データ分離回路１０５から取得した番組情報をもとに、番組ガイド等のオンスクリーンディスプレイ（以下ＯＳＤと記す）表示画面を作成し、前記映像圧縮回路１０８からの映像信号に重畳してテレビジョン等へ出力可能である。
【００１１】
図２に映像、音声、情報データが多重された多重ストリームの一部を示す。２００は映像、音声、情報データが多重された多重ストリーム、２０１は番組０の番組情報、２０２は番組１の番組情報、２０３は番組２の番組情報、２０４は番組３の番組情報、２０５は映像情報、２０６は音声データ、２０７は前記番組情報２０１が再度多重された番組情報であり、２０８は前記番組情報２０２が再度多重された番組情報であり、２０９は前記多重ストリーム２００において、前記音声データ２０６が多重後、前記番組情報２０７が多重されるまでに多重された情報の略である。また、前記番組情報２０１、２０８はストリームの先頭、最後尾ではなく、その前後にデータは存在するが、図２ではその前後を省略してある。また、図２に示すように、前記番組情報２０１〜２０４は周期Ｔで再送されていると仮定する。また、図２において前記番組情報２０１は必ず周期Ｔで再送されるが、前記番組情報２０２〜２０４は多重される場合は必ず図２に示した並びで多重され、最少再送周期はＴであるが、必ずしも多重されない場合があると仮定する。図２では前記番組情報２０２〜２０４が多重されている場合を示している。また、前記番組情報２０１〜２０４、２０７〜２０８にはそれぞれに識別子があり、前記データ分離回路１０５では、その識別子を用いて番組情報を分離する。前記番組情報２０１と２０７は同じ情報なので識別子も同じである。前記番組情報２０２と２０８も同様に識別子が同じである。
【００１２】
また、映像・音声データは番組情報と比較して伝送レートが高いため、多重ストリームの中には多くの映像・音声データが存在することとなるが、図２では番組情報に注目するためその点は考慮していない。
【００１３】
図３は多重ストリーム２００とは条件が異なった多重ストリームを示す。図３に示した多重ストリーム３００は図２に示す多重ストリーム２００において、前記番組情報２０４が多重されなかった場合で、３０１がその状態を示している。それ以外は図２と同様である。
図４に前記制御回路１１２での番組情報取得処理のフローチャートを示す。４０１は前記多重ストリーム２００、３００から必要な番組情報を前記データ分離回路１０５が分離できるよう設定を行なう取得番組情報設定手段、４０２は前記番組情報設定手段４０１で設定された番組情報が取得されたか否かを判定する番組情報取得判定手段、４０３は前記データ分離回路１０５で分離された番組情報を解析する番組情報解析手段、４０４は前記番組情報解析手段４０３の解析結果をもとに再送周期が経過したか否かを判定する再送周期判定手段、４０５は前記取得番組情報設定手段４０１で設定した番組情報が全て取得できたか否かを確認する番組情報取得確認手段、４０６は前記再送周期判別手段４０４、前記番組情報取得確認手段４０５の結果を受けて、前記データ分離回路１０５の動作を制御する分離回路制御手段である。
【００１４】
本発明では、前記再送周期判定手段４０４は、前記取得番組情報設定手段４０２で設定した番組情報が再度、前記番組情報解析手段４０３で解析された時点で再送周期が経過したと判定する。
【００１５】
本実施例では、前記取得番組情報設定手段４０２で、前記番組情報２０２〜２０４設定する。
【００１６】
ここで前記入力端子１０１に図２に示した多重ストリーム２００を入力する。前記データ分離回路１０５では前記番組情報２０２〜２０４を順次分離し、前記番組情報取得確認手段４０５で、設定した全ての番組情報の取得が確認でき、前記分離回路制御手段４０６の制御により前記データ分離回路１０５は分離動作を停止することができる。
【００１７】
一方、前記入力端子１０１に図３に示した多重ストリーム３００を入力した場合、前記番組情報２０４が存在しないが、前記番組情報２０８を前記データ分離回路１０５が前記多重ストリーム３００から分離し、前記番組情報解析手段４０３で解析した時点で、前記番組情報２０２と前記番組情報２０８が同一であることが分かるので、その情報を受けて前記再送周期判定装置４０４で再送周期が経過したと判定し、その判定を受けて、前記分離回路制御手段４０６が前記データ分離回路１０５を停止させることができる。
【００１８】
本実施例によれば、ディジタル放送受信装置が、事故等で特定の番組情報が多重されないようなを多重ストリームから、多重されていない番組情報の取得を試みた場合でも、受信装置側で番組情報が多重されていないことが判断でき、多重されていない番組情報を待ち続けることなく、番組情報を効率的に取得することができる。よって、ディジタル放送受信装置の応答が良くなり、ユーザの使い勝手が向上する。
【００１９】
本発明の第二の実施例を図４及び図５を用いて説明する。
図５に示した多重ストリーム５００は、図２の多重ストリーム２００において、何らかの原因によって前記番組情報２０２〜２０４が多重されなかった場合を示している。５０１は図２に示した番組情報２０２が多重されなかったことを示し、同様に５０２は番組情報２０３が、５０３は番組情報２０４が、５０４は番組情報２０８が多重されなかったことを示す。それ以外は図２と同様である。  本実施例では、前記番組情報取得設定手段４０１で、図２に示した番組情報２０１〜２０４を設定し、入力端子１０１に図５に示した多重ストリーム５００を入力する。
【００２０】
多重ストリーム５００には前記番組情報２０３〜２０４は存在していないが、前記番組情報２０１が存在するので、前記番組情報２０７を前記番組情報解析装置４０３で解析した時点で、前記再送周期判定手段４０４で番組情報の再送周期が判別でき、受信装置側で前記番組情報２０３〜２０４が存在しないことが判定できる。
第一の実施例で説明したように、番組情報２０１は再送周期Ｔで必ず再送されるので、前記再送周期判別手段４０４では確実に再送周期を判定できる。
【００２１】
本実施例によれば、ディジタル放送受信装置で、常に番組情報の再送周期に従って多重される番組情報を再送周期判定のための参照として取得しておけば、事故等で特定の番組情報が多重されないようなを多重ストリームを入力し、多重されていない番組情報の取得を試みたとしても、番組情報の再送周期が検出でき、待ち続けることなく、受信装置側で番組情報が多重されていないと判断でき、番組情報を効率的に取得することができる。よって、ディジタル放送受信装置の応答が良くなり、ユーザの使い勝手が向上する。
【００２２】
【発明の効果】
本発明によれば、ディジタル放送の受信装置において、番組情報を効率的に取得することができる。よって、ディジタル放送受信装置の応答が良くなり、ユーザの使い勝手が向上する。
【図面の簡単な説明】
【図１】本発明の一実施例を示すブロック図である。
【図２】ディジタル多重ストリームの構成を示す図である。
【図３】ディジタル多重ストリームの構成を示す図である。
【図４】本発明の制御手段を示すフローチャートである。
【図５】ディジタル多重ストリームの構成を示す図である。
【符号の説明】
１０１…ディジタル放送信号の入力端子、１０２…復調回路、１０３…誤り訂正回路、１０４…デスクランブラ、１０５…データ分離回路、１０６…音声復号回路、１０７…音声出力端子、１０８…映像復号回路、１０９…混合器、１１０…映像出力端子、１１１…ＯＳＤ処理回路、１１２…制御回路、１１３…リモコン受信部、２０１…番組０番組情報、２０２…番組１番組情報、２０３…番組２番組情報、２０４…番組３番組情情報、２０５…映像情報、２０６…音声データ、２０７…再送された番組０番組情報、２０８…再送された番組１番組情報、４０１…取得番組情報設定手段、４０２…番組情報取得判定手段、４０３…番組情報解析手段、４０４…再送周期判別手段、４０５…設定番組情報確認手段、４０６…データ分離回路制御手段
【図１】
0003567686.tif 000002
【図２】
0003567686.tif 000003
【図３】
0003567686.tif 000004
【図４】
0003567686.tif 000005
【図５】
0003567686.tif 000006